(57)【要約】【課題】変則的に放送されるシリーズ番組を予約録画する場合にも、予約の重複判断の誤りを抑制するとともに、誤録画や録画漏れを抑制することができ、かつ柔軟な予約管理を可能とする番組記録装置を提供する。【解決手段】ＣＰＵ１０は、シリーズ番組の録画予約の設定時において、電子番組表情報の保有日数内における所定の検索対象範囲内で、録画予約した番組と略同一の番組タイトル名を電子番組表情報から検出し、検出した略同一の番組タイトル名に対応する番組のそれぞれについて個別予約情報を設定し、略同一の番組タイトル名に対応する番組の個別予約情報のそれぞれに同一のグループであることを示す識別子を付加して関連付けるように録画予約設定部６を制御する。【選択図】図１
2008271115.tif 000002
【特許請求の範囲】
【請求項１】
放送予定の複数の番組の放送日情報と、放送開始時刻情報と、放送継続時間情報または放送終了時刻情報と、番組タイトル名情報とを含む電子番組表情報を所定日数分だけ取得して保有する電子番組表取得手段と、
週毎または日毎の繰り返しパターンで放送される番組であるシリーズ番組の録画予約を行う場合に、録画予約日、録画開始時刻、録画終了時刻、番組タイトル名、および前記繰り返しパターンを録画予約情報として設定する録画予約設定手段と、
録画予約された前記シリーズ番組と同一の放送局において、前記シリーズ番組の番組タイトル名と、前記電子番組表情報に含まれる複数の番組タイトル名とを比較して、その比較の結果、前記シリーズ番組の番組タイトル名の総文字数に対して予め設定されている所定の割合の文字数以上一致する文字を有する番組タイトル名が存在した場合、この番組タイトル名を前記シリーズ番組の番組タイトル名と略同一の番組タイトル名として検出するタイトル名検出手段とを備え、
前記タイトル名検出手段は、前記シリーズ番組の前記録画予約情報における録画開始時刻から録画終了時刻までの時間およびその前後所定の時間内を検索対象範囲とし、前記シリーズ番組の前記録画予約情報の設定時において、前記録画予約日およびその翌日以降の前記電子番組表情報の保有日数内における前記繰り返しパターンの各予約設定該当日の前記検索対象範囲内において番組タイトル名を検索する手段であり、
前記録画予約設定手段は、前記タイトル名検出手段で検出された前記略同一の番組タイトル名に対応する番組のそれぞれについて、録画予約日、録画開始時刻、録画終了時刻、および番組タイトル名を含む個別予約情報を設定し、前記略同一の番組タイトル名に対応する番組の前記個別予約情報のそれぞれに同一のグループであることを示す識別子を付加して関連付ける手段であることを特徴とする番組記録装置。
【請求項２】
前記同一のグループに属する前記個別予約情報を一覧表示するための予約リストを生成し、この予約リストを表示する予約リスト生成表示手段をさらに備えることを特徴とする請求項１に記載の番組記録装置。
【発明の詳細な説明】
【技術分野】
【０００１】
本発明は、放送番組を予約して録画する番組記録装置に関する。
【背景技術】
【０００２】
従来、放送番組の録画予約は放送局（ＣＨ）と放送開始終了時刻に加えて、単発または毎週や毎日など繰りかえしのパターンをユーザが設定することで実行されていた。しかし、繰り返し予約を設定したシリーズ番組が毎回同じ時刻に放送されるとは限らず、放送開始時刻や放送終了時刻が変更になる場合がある。このため、番組の一部が録画されなかったり、不要な番組を録画してしまったりする場合がある。また、特別番組等により、ある週だけ別の番組が放送されることもある。
【０００３】
また、例えば毎日の繰り返し予約が月曜日の単発予約や水曜日の単発予約と重複するような状況が生じることもある。このように録画予約が重複した場合、従来の予約管理では、先に録画開始された番組、後に録画開始される番組、または新しく予約された番組など、その装置で決められたルールに従って優先して録画する番組が決定され、録画が実行されていた。しかし、これではユーザの望む形態での録画が実現しないため、より柔軟な対応をすべく各種提案がなされている。
【０００４】
特許文献１には、予約毎に管理テーブルを持つことで予約時に重複の判別を行い、ユーザに優先度を設定するように導き、重複している予約とその優先度がユーザの意図どおりに録画実行する技術が開示されている。また、この技術により優先度の変更や予約の削除などによる予約状況の変更が容易に行える。さらに、電子番組表（ＥＰＧ）を利用し、事前に番組追従させることで番組の放送開始終了時刻の変動に合わせて録画実行させることも実現されている。
【０００５】
また、特許文献２には、繰り返しの予約を展開して表示することでユーザの予約状況の確認を容易にするとともに、重複時の実行時間を把握することができる技術が開示されている。
【特許文献１】特開２００５−２１７７３８号公報
【特許文献２】特開２００６−１８０１２０号公報
【発明の開示】
【発明が解決しようとする課題】
【０００６】
しかしながら、特許文献１のように、予約毎に重複の管理データを持つことで予約をよりユーザの意図に合った実行形態にする提案においても、予約管理情報はあくまで１つの予約に対して１つである。このため、例えば毎日の繰り返し予約において数日先の予約の重複を判断する場合に、シリーズ番組の放送予定時刻が不規則になっている場合などでは、録画予約されている時刻と実際の放送時刻とが異なるため、実際には重複しない予約を重複すると判断してしまうことがある。
【０００７】
例えば、図１０に示すようなシリーズ番組の番組ａを録画予約する場合、月曜日〜金曜日の１３:３０−１４:３０で録画予約することになるが、実際の放送では火曜日が３０分ずれて放送される予定である。したがって、火曜日の１３:００−１４:００に放送予定の番組ｂを単発で予約設定すると、実際には重複しない番組ａと番組ｂとの予約時間帯が重複していると判断され、重複の警告が表示される。これは特許文献２の発明においても同様である。
【０００８】
また、特許文献２の発明では、表示時に予約リストを展開して表示することと、予約重複時の予約時間帯の変更と復元とが記載されているが、予約リストの表示をするたびに所定のフローを実行する必要があるため、処理が重くなり表示が遅くなる。また、特定の回は録画を実行しない場合の対応が記載されていない。さらに、優先の情報をどのように保持し管理するのかが記載されておらず、実現させる手段が不明である。
【０００９】
また、特許文献１，２の発明はいずれも、１日に１話の放送であったり２話以上の放送であったりするような変則的な運用がなされる放送番組には対応できず、誤録画や録画漏れが発生することがあった。さらには、特定の回だけ放送が無い場合や、またはユーザの意図によって録画しない場合などに対しての柔軟な予約管理ができなかった。
【００１０】
本発明は上記に鑑みてなされたもので、変則的に放送されるシリーズ番組を予約録画する場合にも、予約の重複判断の誤りを抑制するとともに、誤録画や録画漏れを抑制することができ、かつ柔軟な予約管理を可能とする番組記録装置を提供することを目的とする。
【課題を解決するための手段】
【００１１】
上記目的を達成するため、本発明の番組記録装置は、放送予定の複数の番組の放送日情報と、放送開始時刻情報と、放送継続時間情報または放送終了時刻情報と、番組タイトル名情報とを含む電子番組表情報を所定日数分だけ取得して保有する電子番組表取得手段と、週毎または日毎の繰り返しパターンで放送される番組であるシリーズ番組の録画予約を行う場合に、録画予約日、録画開始時刻、録画終了時刻、番組タイトル名、および前記繰り返しパターンを録画予約情報として設定する録画予約設定手段と、録画予約された前記シリーズ番組と同一の放送局において、前記シリーズ番組の番組タイトル名と、前記電子番組表情報に含まれる複数の番組タイトル名とを比較して、その比較の結果、前記シリーズ番組の番組タイトル名の総文字数に対して予め設定されている所定の割合の文字数以上一致する文字を有する番組タイトル名が存在した場合、この番組タイトル名を前記シリーズ番組の番組タイトル名と略同一の番組タイトル名として検出するタイトル名検出手段とを備え、前記タイトル名検出手段は、前記シリーズ番組の前記録画予約情報における録画開始時刻から録画終了時刻までの時間およびその前後所定の時間内を検索対象範囲とし、前記シリーズ番組の前記録画予約情報の設定時において、前記録画予約日およびその翌日以降の前記電子番組表情報の保有日数内における前記繰り返しパターンの各予約設定該当日の前記検索対象範囲内において番組タイトル名を検索する手段であり、前記録画予約設定手段は、前記タイトル名検出手段で検出された前記略同一の番組タイトル名に対応する番組のそれぞれについて、録画予約日、録画開始時刻、録画終了時刻、および番組タイトル名を含む個別予約情報を設定し、前記略同一の番組タイトル名に対応する番組の前記個別予約情報のそれぞれに同一のグループであることを示す識別子を付加して関連付ける手段であることを特徴とする。
【００１２】
また、本発明の番組記録装置は、前記同一のグループに属する前記個別予約情報を一覧表示するための予約リストを生成し、この予約リストを表示する予約リスト生成表示手段をさらに備えることを特徴とする。
【発明の効果】
【００１３】
本発明の番組記録装置によれば、シリーズ番組を予約録画する場合に、各回の放送について個別に予約設定することで、変則的に放送されるシリーズ番組を予約録画する場合にも、予約の重複判断の誤りを抑制するとともに、誤録画や録画漏れを抑制することができ、かつ柔軟な予約管理を実現することができる。
【発明を実施するための最良の形態】
【００１４】
以下、本発明の番組記録装置を実施するための最良の形態について、図面を参照して説明する。
【００１５】
図１は本発明の実施の形態に係る番組記録装置の構成を示すブロック図である。
【００１６】
図１に示すように、本発明の実施の形態に係る番組記録装置は、所望チャンネルの放送信号を受信して受信信号を得るチューナ１と、受信信号をＭＰＥＧ等の符号化方式で符号化するエンコーダ２と、ＨＤＤやＤＶＤ−ＲＷなどからなり、符号化された符号化データを記録するデジタルビデオレコーダ（ＤＶＲ）３と、符号化データを復号するデコーダ４と、アナログ放送波の垂直帰線区間（ＶＢＩ：Vertical Blanking Interval）に重畳された信号から電子番組表情報を取得して解析するＥＰＧアナライザ５と、録画予約を設定する録画予約設定部６と、録画予約設定部６で設定された録画予約に基づいてＤＶＲ３に録画を実行させる予約録画実行部７と、録画予約設定部６で設定された予約内容を一覧表示するための表示画面を生成する予約表示画面生成部８と、オンスクリーンディスプレイ（ＯＳＤ）９と、中央処理装置（ＣＰＵ）１０とから構成されており、テレビモニタ１１に接続されている。ＣＰＵ１０は、装置に設けられた各部を統括的に制御する。
【００１７】
なお、電子番組表情報は、デジタル放送信号の番組配列情報内の番組情報（ＥＩＴ：Event Information Table）から取得してもよいし、インターネットから取得してもよい。
【００１８】
次に、以上のように構成された番組記録装置の動作について説明する。はじめにＤＶＲ３の状態を説明する。ＣＰＵ１０の制御の下に記録時は選局された所望チャンネルのアナログ放送信号がチューナ１により選択受信され、ベースバンド帯の受信信号に変換されてエンコーダ２に供給され、ここでＭＰＥＧ等の動画像符号化方式で所望チャンネルの放送番組のデジタルビデオ信号にエンコードされた後ＤＶＲ３に書き込まれる。なお、図示しないデジタルチューナによりデジタル放送信号が受信された場合には、受信されたストリームがそのままＤＶＲ３に記録されるか、ダウンコンバートしてＤＶＲ３に記録される。
【００１９】
再生時には、ＣＰＵ１０の制御の下にＤＶＲ３より読み出されたデジタルビデオ信号は、デコーダ４により所望チャンネルの放送番組のビデオ信号に戻されて、ＯＳＤ９で動作状態などを付加させた後、テレビモニタ１１に出力され視聴される。また、ＥＰＧアナライザ５は、アナログ放送信号のＶＢＩやデジタル放送信号のＥＩＴ、またはインターネットなどより電子番組表情報を取得し、データ内容を解析し、番組表などの表示形式にしてＯＳＤ９で表示させる。ユーザはリモコン操作により任意の放送番組を選択し、録画予約の設定、また解除を画面上で行う。
【００２０】
次に、繰り返しパターンで放送される番組において、変則的な運用がなされる例について説明する。図２は変則的な放送時間で運用される番組の例である。このような番組は、番組間に短い番組を挟むなどして同一時間帯に連続で放送される場合がある。
【００２１】
また、図２では水曜日と木曜日に２回放送ずつされているが、２回放送される日が特定されているわけではない。さらには、放送開始時刻が日によって異なることや、放送が無い日もあり得る。図２中番組Ａの下の括弧内の数字は番組の話数を示しているが、説明の便宜のため記載しているにすぎず、番組情報に含まれているわけではない。なお、番組情報は電子番組表情報から取得されるもので、この番組情報には、少なくとも番組の放送開始時刻、番組の継続時間または放送終了時刻、番組のタイトル名（文字データ）、ジャンルコードが含まれる。
【００２２】
次に、本発明の実施の形態に係る番組記録装置において、図２に示すような変則的な運用のシリーズ番組を録画予約設定する場合の動作について説明する。図３は本実施の形態に係る番組記録装置における録画予約設定時の動作を示すフローチャートである。
【００２３】
まず、ステップＳ１０において、ＣＰＵ１０は、電子番組表情報を解析し、番組表などの表示形式にしてＯＳＤ９で表示させるようにＥＰＧアナライザ５を制御する。なお、ＥＰＧアナライザ５は、録画予約設定を行う当日より例えば８日間分の番組情報を取得済みで保有しているとする。ユーザはリモコン操作により任意の放送番組を選択し、録画予約の設定を画面上で行う。
【００２４】
次に、ステップＳ２０において、ＣＰＵ１０は、ユーザのリモコン操作に応じて、図２に示すような繰り返しパターンで放送される番組について、少なくとも番組タイトル名、録画開始終了日時、録画予約する番組のチャンネル、繰り返しパターンを録画予約情報として設定し、これを保持するように録画予約設定部６を制御する。
【００２５】
従来の番組記録装置では、ここで録画予約設定は終了となり、録画実行終了後に次回録画日時への更新が行われるが、本実施の形態では、引き続きユーザが設定した繰り返しパターンをもとに、以降同じ番組を自動で検索する。
【００２６】
そこで、ステップＳ３０において、ＣＰＵ１０は、録画予約設定した番組と同一の放送局における次の番組の番組データをＥＰＧアナライザ５に保持されている電子番組表情報から取得する。ここで、番組データは、少なくとも当該番組の放送開始時刻、番組の継続時間または放送終了時刻、番組のタイトル名（文字データ）、ジャンルコードを含む。
【００２７】
次いで、ステップＳ４０において、ＣＰＵ１０は、ステップＳ３０で取得した番組データに基づいて、その番組の放送開始時刻が所定の指定範囲内であるか否かを判断する。指定範囲は、例えば録画予約情報における録画開始時刻から録画終了時刻までの時間およびその前後所定の時間（例えば２時間）を含む範囲とする。指定範囲を設定するのは、後述の番組タイトル名の検索において、実際の放送運用に即した効率的な検索をするためである。指定範囲内である場合（ステップＳ４０：ＹＥＳ）、ステップＳ５０に進み、指定範囲内でない場合（ステップＳ４０：ＮＯ）、ステップＳ７０に進む。
【００２８】
ステップＳ５０において、ＣＰＵ１０は、取得した番組データの番組タイトル名と、録画予約情報における番組タイトル名とが同じであるか否かを判断する。番組タイトル名が同じであるかどうかの判断は、例えば比較元となる録画予約情報の番組タイトル名の文字列に対し、比較先である番組データ内の番組タイトル名を１文字毎に分解し、先頭の文字から順に比較元に現れる頻度をカウントし、比較元の文字数の例えば８割以上同じであれば同じ番組タイトル名であると判断する。
【００２９】
番組タイトル名が同じである場合（ステップＳ５０：ＹＥＳ）、ステップＳ６０に進み、番組タイトル名が同じでない場合（ステップＳ５０：ＮＯ）、ステップＳ３０に戻ってさらに次の番組データを取得し、以降の処理を繰り返す。
【００３０】
ステップＳ６０において、ＣＰＵ１０は、その番組について、少なくとも録画予定日、録画開始終了時刻、および番組タイトル名を含む個別予約情報を設定するように録画予約設定部６を制御する。ここで、個別予約情報には、同一の番組タイトル名に対応する番組が同一のグループであることを示す予約ＩＤを付加する。その後、ステップＳ３０に戻ってさらに次の番組データを取得し、以降の処理を繰り返す。
【００３１】
ステップＳ７０において、ＣＰＵ１０は、翌日以降における繰り返しパターンの次の予約設定該当日が、ＥＰＧアナライザ５の番組情報の保有日数（本実施の形態では８日間）内であるか否か、つまり、次の予約設定該当日の番組情報をＥＰＧアナライザ５で保有しているか否か判断する。
【００３２】
保有日数内である場合（ステップＳ７０：ＹＥＳ）、ステップＳ８０において、ＣＰＵ１０は、翌日以降における繰り返しパターンの次の予約設定該当日の指定範囲内の最初に放送される番組の番組データを取得し、その後ステップＳ５０に進む。保有日数内でない場合（ステップＳ７０：ＮＯ）、一連の処理を終了する。
【００３３】
本実施の形態の番組記録装置で予約設定を行った場合の予約リストの例を図４および図５に示す。図４は図２に示したような変則的な運用の番組Ａの予約設定を行った場合の予約リストの一例であり、図５は毎週月曜日に繰り返し放送予定のシリーズ番組Ｂの予約設定を行った場合の予約リストの一例である。
【００３４】
図４において、それぞれの予約ＩＤの上位２桁を同一の「０１」とし、同じ予約グループであることを示している。下位２桁はそれぞれ独立した個別予約情報として扱えるように別の数字となっている。図５においても同様に、それぞれの予約ＩＤの上位２桁を同一の「０２」とし、下位２桁は別の数字となっている。なお、図示していないが個別予約情報には番組タイトル名、ジャンル名等も含まれる。
【００３５】
このように個別に予約を管理することで、従来のような次回分の予約のみの表示はもちろんのこと、日毎や曜日毎の表示も簡単に切り替えて表示することが可能である。さらに、特定の予約だけ時間をずらすなどの設定を変更することや、予約グループすべてを変更することも容易に行うことができる。
【００３６】
本実施の形態の番組記録装置では、予約内容を表示する際に様々な表示形式を容易に実現可能であり、日毎、週毎、月毎の予約一覧や、すべての予約の一覧を切り替えて表示することができる。このような各種の表示画面は予約表示画面生成部８により生成され、ＯＳＤ９で表示される。
【００３７】
図６は本実施の形態の番組表示装置で表示する予約一覧画面の一例であり、すべての予約を表示している状態である。また、予約一覧画面の一番上の番組Ａの予約を選択した状態となっている。ここで、ユーザがリモコン等により選択を確定するボタンを押下すると、ＣＰＵ１０の制御の下に予約表示画面生成部８は、図７に示すような、番組Ａの予約が展開した予約単位の表示画面を生成して、これをＯＳＤ９で表示させる。
【００３８】
このような表示画面により、ユーザは特定の番組についての予約の次回以降の実行予定も把握できるため、例えばある回だけ録画しない、またはある回だけ時間を変更するなどの変更を容易に確実に行うことができる。
【００３９】
また、図７において時刻に網掛けがあるものは他の予約と重複しているため録画実行されない予定であることを示している。図８は日単位の予約を一覧表示した場合の表示画面の一例であるが、図７と同様に時刻表示に網掛けされているところが他の予約との重複のため録画実行されずに欠ける予定を示している。このように単に従来の予約一覧では分からなかった今後の予定を明確に確認できるようになる。
【００４０】
また、図６〜８に示すような表示画面において、ある１つの予約をリモコン等により選択確定すれば、予約内容修正画面を表示し、時刻変更や優先度変更などの予約内容の変更が可能なようにしてもよい。このように、予約の繰り返しパターンなどによって確認しやすい表示形式を選択変更できるため、予約状況確認による見落としを防ぐことができる。
【００４１】
このように本実施の形態に係る番組記録装置によれば、シリーズ番組を予約録画する場合に、各回の放送について個別に予約設定することで、同じ日に二話続けて放送されるなどの変則的な運用のシリーズ番組を予約録画する場合においても、ユーザの希望する番組の録画漏れや誤録画を抑制することができる。また、各回の録画開始終了時刻を変更することや、ある回だけ録画しないなどの設定が容易で、柔軟な予約管理を実現することができる。また、ユーザは従来の録画予約設定と同様の操作を行えばよく、操作が煩雑になることはない。
【００４２】
また、電子番組表を利用した番組追従も個別の予約毎に実施できるため、管理が簡単であり、録画予約の重複の判定も矛盾が生じることがない。
【００４３】
また、同一のシリーズ番組についての個別予約情報のそれぞれに同一のグループであることを示す予約ＩＤを付加するので、録画モードなどの予約変更時または予約削除時に、個別予約情報のすべてに対して同時に変更または削除が可能であり、ユーザにとっての利便性が高い。
【００４４】
なお、上記ステップＳ５０において、番組タイトル名のほかにジャンルコードも比較するようにしてもよい。このようにすれば、より確実な検索とすることができる。さらに、ジャンルコードを先に比較することで番組タイトル名の比較番組数を減らすことができ、検索処理が軽くなり処理速度が向上するという効果を得ることもできる。
【００４５】
また、上記説明では、繰り返しパターンで放送されるシリーズ番組を予約録画する場合に、図４，５に示すように、各回の放送について単発の予約として個別録画予約情報を設定する場合について説明したが、毎日の繰り返しパターンで放送される番組の各回の放送を、図９に示すように、毎週の予約として設定してもよい。
【００４６】
このようにすることで、毎日、月曜日から土曜日、月曜日から金曜日、月曜日から木曜日などの毎日系の放送番組や、毎週月曜日放送の番組など、繰り返しパターンが異なる番組を録画予約する場合でも、すべて毎週の録画予約として管理できるため、管理が容易となる。例えば、次週または次々週などある一定期間ごとに上書きしてメディアの使用容量を制限する録画設定において、どのコンテンツに対して上書きするべきかを同じ管理方法により行うことができる。
【図面の簡単な説明】
【００４７】
【図１】本発明の実施の形態に係る番組記録装置の構成を示すブロック図である。
【図２】変則的な放送時間で運用される番組の例を示す図である。
【図３】本発明の実施の形態に係る番組記録装置における録画予約設定時の動作を示すフローチャートである。
【図４】本実施の形態に係る番組記録装置で予約設定を行った場合の予約リストの一例を示す図である。
【図５】本実施の形態に係る番組記録装置で予約設定を行った場合の予約リストの他の一例を示す図である。
【図６】本実施の形態に係る番組表示装置で表示する予約一覧画面の一例を示す図である。
【図７】番組Ａの予約を展開した予約単位の表示画面の一例を示す図である。
【図８】日単位の予約を一覧表示した場合の表示画面の一例を示す図である。
【図９】毎日の繰り返しパターンで放送される番組の各回の放送を毎週の予約として設定した場合の予約リストの一例を示す図である。
【図１０】変則的な放送時間で運用される番組の例を示す図である。
【符号の説明】
【００４８】
１  チューナ
２  エンコーダ
３  デジタルビデオレコーダ（ＤＶＲ）
４  デコーダ
５  ＥＰＧアナライザ
６  録画予約設定部
７  予約録画実行部
８  予約表示画面生成部
９  オンスクリーンディスプレイ（ＯＳＤ）
１０  ＣＰＵ
１１  テレビモニタ
【図１】
2008271115.tif 000003
【図２】
2008271115.tif 000004
【図３】
2008271115.tif 000005
【図４】
2008271115.tif 000006
【図５】
2008271115.tif 000007
【図６】
2008271115.tif 000008
【図７】
2008271115.tif 000009
【図８】
2008271115.tif 000010
【図９】
2008271115.tif 000011
【図１０】
2008271115.tif 000012